(57)【要約】【課題】注記の記載方法、表現を統一し、製品仕様の内容を確実に図面注記に反映すること。【解決手段】製品仕様書データベースに格納されている製品仕様書の中から１つの製品仕様書を選択し、１つの製品仕様書の図面種類の中から１つの図面種類を選択し、１つの図面種類に対応する注記雛形を注記雛形データベースから取得し、１つの製品仕様書から注記作成に必要な情報を抽出し、注記雛形及び注記作成に必要な情報に基づいて注記を作成し、作成された注記を図面に貼付する。【選択図】図４
2011216025.tif 000002
【特許請求の範囲】
【請求項１】
図面の注記の作成を支援する装置であって、
製品仕様毎に製品仕様書を格納した製品仕様書データベースと、
図面種類毎に注記雛形を格納した注記雛形データベースと、
前記製品仕様書データベースに格納されている製品仕様書の中から１つの製品仕様書を選択する製品仕様書選択処理手段と、
前記１つの製品仕様書の図面種類の中から１つの図面種類を選択する図面種類選択処理手段と、
前記１つの図面種類に対応する注記雛形を前記注記雛形データベースから取得する注記雛形取得処理手段と、
前記１つの製品仕様書から注記作成に必要な情報を抽出する情報抽出処理手段と、
前記注記雛形取得処理手段によって取得された注記雛形及び前記情報抽出処理手段によって抽出された情報に基づいて注記を作成する注記作成処理手段と、
前記注記作成処理手段によって作成された注記を図面に貼付する貼付処理手段と、
を含むことを特徴とする図面注記作成支援装置。
【請求項２】
ユーザの入力を受け付けて新たな製品仕様書を作成し、前記製品仕様書データベースに追加する製品仕様書作成処理手段を更に含むことを特徴とする請求項１に記載の図面注記作成支援装置。
【請求項３】
前記製品仕様書選択処理手段は、製品仕様書の選択基準となる情報を含む上位仕様に該当する製品仕様書を取得し、取得した上位仕様に該当する製品仕様書に基づいて、１つの製品仕様書を選択することを特徴とする請求項１又は２に記載の図面注記作成支援装置。
【請求項４】
複数の要目表を格納した要目表データベースを更に含み、
前記貼付処理手段は、製品仕様書の中で指定されている要目表を前記要目表データベースから取得し、取得した要目表を図面に貼付することを特徴とする請求項１〜３のいずれか１項に記載の図面注記作成支援装置。
【請求項５】
図面サイズに対して注記サイズが適正であるか否かを判定し、適正でない場合には、図面サイズを変更する図面サイズ変更処理手段を更に含むことを特徴とする請求項１〜４のいずれか１項に記載の図面注記作成支援装置。
【発明の詳細な説明】
【技術分野】
【０００１】
本発明は、図面の注記の作成を支援する図面注記作成支援装置に関するものである。
【背景技術】
【０００２】
機械図面などの図面を作成する作業において、図面に記載する注記の記載方法や表現が作図者によって異なると、製造現場でのトラブルの原因となる。このようなトラブルを防止する技術として、例えば、特許文献１には、第１及び第２のコンピュータが通信ネットワークを介して接続された図面記事作成支援システムにおいて、前記第１のコンピュータは、図面に附記する記事が記事データとして格納された記事データベースであって、作成する図面のカテゴリーに応じて附記すべき記事データの候補が列挙されたセットメニューと、前記セットメニューに分類されてない記事データと、から成る記事データベースを備え、前記第２のコンピュータは、前記記事データベースから、作成する図面のカテゴリーに応じてセットメニューを選択する第１選択手段と、選択されたセットメニューに列挙された図面に附記すべき記事データの候補から必要な記事を選択する第２選択手段と、記事データベースに格納されたすべての記事を対象としてキーワードにより記事データを検索するキーワード検索手段と、キーワード検索手段により検索された記事から必要な記事データを選択する第３選択手段と、上記第１〜第３選択手段により選択された記事データをまとめて表示する表示手段と、表示された記事データを図面に移行する記事移行手段と、を備えたことを特徴とする図面記事作成支援システムが開示されている。
【先行技術文献】
【特許文献】
【０００３】
【特許文献１】特開２００４−６２７４５号公報
【発明の概要】
【発明が解決しようとする課題】
【０００４】
しかし、特許文献１に開示される技術では、作図者が注記候補の中から注記を選択するので、どの注記を選択するかは作図者によって変わる可能性があり、依然として記載方法が統一できない。
【０００５】
また、注記の中には製品の仕様によって内容が変わる部分があり、その部分は統一してデータベース化しておくことはできない。特許文献１に開示される技術では、そのような部分はあらかじめ注記文の中に選択肢を設定しておき作図者が選択するか、あるいは作図者の入力により注記に追記する方法をとることになる。しかし、この方法では依然作図者の作業に頼る部分があるので、入力ミス等により仕様を反映できない可能性が残る。
【０００６】
また、図面を作成する際に既存の類似図面をコピーし相違点のみを修正する方法がある。また、図面を修正して改版する場合に、前版の図面をコピーし相違点のみを修正し、それを新版とする方法もある。これら２つの方法は、場合によっては特許文献１に開示される技術よりも速く図面を作成することができるが、仕様の違いに合わせて修正すべき注記の箇所を見逃す可能性がある。
【０００７】
また、図面サイズと注記の大きさがアンマッチの場合に注記の文字が見えない場合や間違える可能性がある。
【０００８】
本発明は、上記に鑑みてなされたものであって、注記の記載方法、表現を統一し、製品仕様の内容を確実に図面注記に反映することを目的とする。
【課題を解決するための手段】
【０００９】
上述した課題を解決し、目的を達成するために、本発明は、図面の注記の作成を支援する装置であって、製品仕様毎に製品仕様書を格納した製品仕様書データベースと、図面種類毎に注記雛形を格納した注記雛形データベースと、前記製品仕様書データベースに格納されている製品仕様書の中から１つの製品仕様書を選択する製品仕様書選択処理手段と、前記１つの製品仕様書の図面種類の中から１つの図面種類を選択する図面種類選択処理手段と、前記１つの図面種類に対応する注記雛形を前記注記雛形データベースから取得する注記雛形取得処理手段と、前記１つの製品仕様書から注記作成に必要な情報を抽出する情報抽出処理手段と、前記注記雛形取得処理手段によって取得された注記雛形及び前記情報抽出処理手段によって抽出された情報に基づいて注記を作成する注記作成処理手段と、前記注記作成処理手段によって作成された注記を図面に貼付する貼付処理手段と、を含むことを特徴とする図面注記作成支援装置である。
【００１０】
本発明は、製品仕様書データベースに格納されている製品仕様書の中から１つの製品仕様書を選択し、１つの製品仕様書の図面種類の中から１つの図面種類を選択し、１つの図面種類に対応する注記雛形を注記雛形データベースから取得し、１つの製品仕様書から注記作成に必要な情報を抽出し、注記雛形及び注記作成に必要な情報に基づいて注記を作成し、作成された注記を図面に貼付する。これによって、注記の記載方法、表現を統一し、製品仕様の内容を確実に図面注記に反映することができる。
【００１１】
本発明の望ましい態様としては、ユーザの入力を受け付けて新たな製品仕様書を作成し、前記製品仕様書データベースに追加する製品仕様書作成処理手段を更に含むことが好ましい。これによって、新たな製品仕様書を容易に作成し、製品仕様書データベースに追加することができる。
【００１２】
本発明の望ましい態様としては、前記製品仕様書選択処理手段は、製品仕様書の選択基準となる情報を含む上位仕様に該当する製品仕様書を取得し、取得した上位仕様に該当する製品仕様書に基づいて、１つの製品仕様書を選択することが好ましい。これによって、上位仕様に該当する製品仕様書に基づいて１つの製品仕様書を選択することができ、注記の記載方法、表現を統一し、製品仕様の内容を確実に図面注記に反映することができる。
【００１３】
本発明の望ましい態様としては、複数の要目表を格納した要目表データベースを更に含み、前記貼付処理手段は、製品仕様書の中で指定されている要目表を前記要目表データベースから取得し、取得した要目表を図面に貼付することが好ましい。これによって、要目表の内容を確実に図面に反映することができる。
【００１４】
本発明の望ましい態様としては、図面サイズに対して注記サイズが適正であるか否かを判定し、適正でない場合には、図面サイズを変更する図面サイズ変更処理手段を更に含むことが好ましい。これによって、注記を見易く表示することができ、不良品の発生を防止することができる。
【発明の効果】
【００１５】
本発明は、注記の記載方法、表現を統一し、製品仕様の内容を確実に図面注記に反映することができる。
【図面の簡単な説明】
【００１６】
【図１】図１は、本実施形態に係る図面注記作成支援装置の構成を示す図である。
【図２】図２は、製品仕様書データベースに含まれる製品仕様書の一例を示す図である。
【図３】図３は、注記雛形データベースに含まれる注記雛形の一例を示す図である。
【図４】図４は、本実施形態に係る注記作成支援装置の第１の処理の手順を示すフローチャートである。
【図５】図５は、製品仕様書の選択画面の一例を示す図である。
【図６】図６は、図面種類の選択画面の一例を示す図である。
【図７】図７は、注記が貼付された「シャフト」の部品図の一例を示す図である。
【図８】図８は、注記が貼付された「コラムＡＳＳＹ」の総組立図の一例を示す図である。
【図９】図９は、製品仕様書と対象図面の関係を示す図である。
【図１０】図１０は、本実施形態に係る注記作成支援装置の第２の処理の手順を示すフローチャートである。
【図１１】図１１は、製品仕様書を作成するための入力画面の一例を示す図である。
【図１２】図１２は、本実施形態に係る注記作成支援装置の第３の処理の手順を示すフローチャートである。
【図１３】図１３は、本実施形態に係る注記作成支援装置の第４の処理の手順を示すフローチャートである。
【図１４】図１４は、本実施形態に係る注記作成支援装置の第５の処理の手順を示すフローチャートである。
【発明を実施するための形態】
【００１７】
以下、本発明につき図面を参照しつつ詳細に説明する。なお、この発明を実施するための形態（以下、実施形態という）により本発明が限定されるものではない。また、以下の説明における構成要素には、当業者が容易に想定できるもの、実質的に同一のもの、いわゆる均等の範囲のものが含まれる。
【００１８】
図１は、本実施形態に係る図面注記作成支援装置の構成を示す図である。この図面注記作成支援装置１は、入力装置２と、表示装置３と、制御装置４と、外部記憶装置５と、を備えている。
【００１９】
入力装置２は、マウス、キーボード等であり、作図者の入力操作、選択操作を受け付け、入力信号を制御装置４に出力する。表示装置３は、ＣＲＴ、液晶ディスプレイ等の画像を表示する装置である。
【００２０】
制御装置４は、パーソナルコンピュータ（ＰＣ）等であり、入力インターフェース４ａと、出力インターフェース４ｂと、ＣＰＵ４ｃと、ＲＯＭ４ｄと、ＲＡＭ４ｅと、内部記憶装置４ｆと、を含んでいる。入力インターフェース４ａ、出力インターフェース４ｂ、ＣＰＵ４ｃ、ＲＯＭ４ｄ、ＲＡＭ４ｅ及び内部記憶装置４ｆは、内部バスで接続されている。
【００２１】
入力インターフェース４ａは、入力装置２からの入力信号を受け取り、ＣＰＵ４ｃに出力する。出力インターフェース４ｂは、ＣＰＵ４ｃから画像信号を受け取り、表示装置３に出力する。
【００２２】
ＲＯＭ４ｄには、ＢＩＯＳ等のプログラムが記憶されている。内部記憶装置４ｆは、例えばＨＤＤであり、オペレーティングシステムプログラムやアプリケーションプログラムが記憶されている。ＣＰＵ４ｃは、ＲＡＭ４ｅをワークエリアとして使用しながら、ＲＯＭ４ｄや内部記憶装置４ｆに記憶されているプログラムを実行する。
【００２３】
外部記憶装置５は、サーバ等であり、ＬＡＮ等のネットワークを介して制御装置４と接続されている。なお、外部記憶装置５は、制御装置４から離れた場所に設置されていても良い。
【００２４】
内部記憶装置４ｆ又は外部記憶装置５には、製品仕様毎に製品仕様書を格納した製品仕様書データベース、図面種類毎に注記雛形を格納した注記雛形データベースが記憶されている。
【００２５】
図２は、製品仕様書データベースに含まれる製品仕様書の一例を示す図である。製品仕様書は、製品仕様毎に１つずつ存在する。図２に示す製品仕様書の第１行には、この製品仕様書を識別するための製品仕様書Ｎｏ．が格納されており、第２行目以降には、製品の仕様が格納されている。製品の仕様には、製品の特性や製品を構成する各部品の特性（性能、強度、寸法、重量、加工方法等）が含まれ、少なくとも注記内容に影響する項目は全て製品の仕様に含まれる。なお、図２に示す製品仕様書の第２行には、この製品仕様書の「シャフトセレーションタイプ」として「Ｂ」が格納されている。また、この製品仕様書は、本発明の注記作成支援装置１以外の他のシステムで利用しても良い。例えば、自動設計システムの入力情報としてこの製品仕様書を利用しても良い。
【００２６】
図３は、注記雛形データベースに含まれる注記雛形の一例を示す図である。注記雛形は、図面種類毎に１つずつ存在する。図面種類は、部品の種類、仕様等で分類される。図３に示す注記雛形は、「シャフト」部品の注記雛形である。もし同じ「シャフト」部品であっても部品仕様毎に注記の表記がいくつかに分類できるのであれば、それぞれに対して注記雛形を作成しておけば良い。図３に示す注記雛形の＜Ａ＞、＜Ｂ＞、＜Ｃ＞の部分は、製品仕様によって変わる部分で、後で説明するように、注記を図面に貼付する段階で具体的な数値に置換される。
【００２７】
図４は、注記作成支援装置１の第１の処理の手順を示すフローチャートである。注記作成支援装置１の制御装置４は、ステップＳ１として、製品仕様書の選択画面を表示装置３に表示させて、製品仕様書データベースに格納されている製品仕様書の中から１つの製品仕様書の選択を作図者に行わせる。図５は、製品仕様書の選択画面の一例を示す図である。図５に示す製品仕様書の選択画面では、製品仕様書を識別する「００１」〜「００７」の７つの製品仕様書Ｎｏ．（番号）と、それぞれの製品仕様書の客先名及び製品コードとが一覧表示されている。なお、客先名及び製品コードは、製品仕様書の特定を容易にするための項目の例示であり、他の項目を表示するようにしても良い。
【００２８】
次に、注記作成支援装置１の制御装置４は、ステップＳ２として、ステップＳ１で選択された製品仕様書の図面種類の選択画面を表示装置３に表示させて、作業対象である１つの図面種類の選択を作図者に行わせる。図６は、図面種類の選択画面の一例を示す図である。図６に示す図面種類の選択画面では、図面種類の名称（「コラムＡＳＳＹ」等）及び図面情報が一覧表示されている。なお、図６においては、図面情報として「総組立図」、「部分組立図」、「部品図」、「圧入タイプ」等の情報が表示されているが、これらの情報は図面種類の特定を容易にするための例示であり、他の情報を表示するようにしても良い。
【００２９】
次に、注記作成支援装置１の制御装置４は、ステップＳ３として、ステップＳ２で選択された図面種類に対応する注記雛形を、内部記憶装置４ｆ又は外部記憶装置５に記憶されている注記雛形データベースから取得して、ＲＡＭ４ｅにコピーする。
【００３０】
次に、注記作成支援装置１の制御装置４は、ステップＳ４として、ステップＳ１で選択された製品仕様書から注記に必要な情報を抽出する。
【００３１】
次に、注記作成支援装置１の制御装置４は、ステップＳ５として、注記を生成する。注記の生成は、ステップＳ３で取得した注記雛形の中の仕様によって変わる部分（図３に示す注記雛形の例では、＜Ａ＞、＜Ｂ＞、＜Ｃ＞の部分）を、ステップＳ４で抽出した情報で置換することにより行う。このとき、ステップＳ３で取得した注記雛形の中の仕様によって変わる部分をステップＳ４で抽出した情報で置換した状態で注記の確認（プレビュー）画面を表示装置３に表示させて、作図者に確認させるようにしても良い。
【００３２】
次に、注記作成支援装置１の制御装置４は、ステップＳ６として、ステップＳ５で生成した注記を図面に貼付し、注記が貼付された図面を表示装置３に表示させる。なお、図面は、ステップＳ１の前に予め表示装置３に表示させておいても良いし、ステップＳ６の段階で表示装置３に表示させても良い。図７は、注記が貼付された「シャフト」の部品図の一例を示す図である。図７に示す「シャフト」の部品図では、注記１０が貼付されている。注記１０の内容は、図３に示す注記雛形の＜Ａ＞、＜Ｂ＞、＜Ｃ＞の部分を製品仕様書に対応する具体的な数値に置換したものである。
【００３３】
なお、本発明は、図面表記のうち製品仕様と関連する部分であれば注記に限らずどこでも対象とすることができる。従って、図７に示すセレーション要目表１１も、注記と同様に貼付することができる。セレーション要目表にはいくつかのパターンが存在し、各パターンに対してＡ、Ｂ、Ｃ、・・・と名称を付けた要目表データベースを予め作成して内部記憶装置４ｆ又は外部記憶装置５に記憶しておく。そして、製品仕様書の中で例えば「シャフトセレーションタイプ：Ｂ」のように指定（図２の第２行目参照）しておき、ステップＳ３でタイプ「Ｂ」に対応するセレーション要目表を要目表データベースから取得してＲＡＭ４ｅにコピーし、ステップＳ６でセレーション要目表を図面に貼付すれば良い。
【００３４】
図８は、ステップＳ１〜Ｓ６によって注記が貼付された「コラムＡＳＳＹ」の総組立図の一例を示す図である。図８に示す注記１２、セレーション要目表１３及び注記１４は、先に説明した「シャフト」の部品図（図７参照）と同様に、ステップＳ６で貼付されたものである。本発明は、図面表記のうち製品仕様と関連する部分であれば注記に限らずどこでも対象とすることができるので、注記１４のような引出線付き注記も対象にできる。
【００３５】
図７に示す「シャフト」の部品図のセレーション要目表１１は、「シャフト」を製造する上で必要な情報であるので、「シャフト」の部品図に貼付される。また、注記１０の内の「シャフトの捩り破壊強度（降伏）は○○Ｎｍ以上のこと。」の部分は、「シャフト」単品で強度を保証するため、「シャフト」の部品図に貼付が必要である。一方、図８に示す「コラムＡＳＳＹ」などの総組立図では、組立工程に必要な情報の他に、製品としての仕様を記載する場合があり、図８でも、注記１２の「シャフトの捩り破壊強度（降伏）は○○Ｎｍ以上のこと。」の部分及びセレーション要目表１３が貼付されている。このように、部品図と組立図で同じような注記が貼付される場合もあり得る。本発明では、製品仕様書を作成しておけば、製品仕様書の内容が注記雛形に取り込まれ注記が作成されるので、製品仕様書の内容が全ての図面（部品図、組立図）の注記に反映されることになる。図９は、製品仕様書と対象図面の関係を示す図である。図９に示すように、製品仕様書は、関連する全ての図面（部品図、部分組立図、総組立図）の注記に反映される。
【００３６】
図１０は、注記作成支援装置１の第２の処理の手順を示すフローチャートである。注記作成支援装置１の制御装置４は、ステップＳ１１として、製品仕様書を新たに作成するかそれとも既存の製品仕様書から選択するかを作図者に選択させる。
【００３７】
注記作成支援装置１の制御装置４は、ステップＳ１１で作図者が製品仕様書を新たに作成することを選択した場合（Ｙｅｓ）、ステップＳ１２として、製品仕様書を作成するための入力画面を表示装置３に表示させて、作図者の入力を受け付け、製品仕様書を作成する。図１１は、製品仕様書を作成するための入力画面の一例を示す図である。作図者は、図１１に示す入力画面に必要事項を入力し、注記作成支援装置１の制御装置４は、入力内容に従って製品仕様書を作成し、作成した製品仕様書を内部記憶装置４ｆ又は外部記憶装置５に記憶されている製品仕様書データベースに追加する。その後、注記作成支援装置１の制御装置４は、処理をステップＳ１４に進める。
【００３８】
注記作成支援装置１の制御装置４は、ステップＳ１１で作図者が既存の製品仕様書を選択することを選択した場合（Ｎｏ）、ステップＳ１３として、製品仕様書の選択画面を表示装置３に表示させて、製品仕様書の選択を作図者に行わせる。なお、このステップＳ１３は、先に説明した図４のフローチャートのステップＳ１と同じである。その後、注記作成支援装置１の制御装置４は、ステップＳ１４〜ステップＳ１８を実行するが、これらのステップは先に説明した図４のフローチャートのステップＳ２〜ステップＳ６と同じであるので、説明を省略する。
【００３９】
注記作成支援装置１の第２の処理によれば、製品仕様書を容易に作成し、製品仕様書データベースに追加することができる。
【００４０】
図１２は、注記作成支援装置１の第３の処理の手順を示すフローチャートである。注記作成支援装置１の制御装置４は、ステップＳ２１として、製品仕様書の選択基準となる情報を含む上位仕様に該当する製品仕様書の取得を試行する。次に、注記作成支援装置１の制御装置４は、ステップＳ２２として、ステップＳ２１で上位仕様に該当する製品仕様書を取得できたか否か、つまり、上位仕様に該当する製品仕様書が有るか否かを判定する。
【００４１】
注記作成支援装置１の制御装置４は、ステップＳ２２で上位仕様に該当する製品仕様書が有ると判定した場合（Ｙｅｓ）、ステップＳ２３として、上位仕様に該当する製品仕様書に基づいて、製品仕様書を選択する。その後、注記作成支援装置１の制御装置４は、処理をステップＳ２５に進める。
【００４２】
注記作成支援装置１の制御装置４は、ステップＳ２２で上位仕様に該当する製品仕様書が無いと判定した場合（Ｎｏ）、ステップＳ２４として、製品仕様書の選択画面を表示装置３に表示させて、製品仕様書の選択を作図者に行わせる。その後、注記作成支援装置１の制御装置４は、処理をステップＳ２５に進める。
【００４３】
その後、注記作成支援装置１の制御装置４は、ステップＳ２５〜ステップＳ２９を実行するが、これらのステップは先に説明した図４のフローチャートのステップＳ２〜ステップＳ６と同じであるので、説明を省略する。
【００４４】
注記作成支援装置１の第３の処理によれば、上位仕様に該当する製品仕様書が有る場合には作図者の選択に依らずに上位仕様に該当する製品仕様書に基づいて製品仕様書が選択されるので、作図者による選択ミスを防ぐことができる。
【００４５】
図１３は、注記作成支援装置１の第４の処理の手順を示すフローチャートである。注記作成支援装置１の制御装置４は、ステップＳ３１として、製品仕様書の選択基準となる情報を含む上位仕様に該当する製品仕様書を取得する。次に、注記作成支援装置１の制御装置４は、ステップＳ３２として、上位仕様に該当する製品仕様書に基づいて、製品仕様書を選択する。
【００４６】
その後、注記作成支援装置１の制御装置４は、ステップＳ３３〜ステップＳ３７を実行するが、これらのステップは先に説明した図４のフローチャートのステップＳ２〜ステップＳ６と同じであるので、説明を省略する。
【００４７】
注記作成支援装置１の第４の処理によれば、作図者の選択に依らずに上位仕様に該当する製品仕様書に基づいて製品仕様書が選択されるので、作図者による選択ミスを防ぐことができる。
【００４８】
図１４は、注記作成支援装置１の第５の処理の手順を示すフローチャートである。ステップＳ４１〜ステップＳ４５は、先に説明した図４のフローチャートのステップＳ１〜ステップＳ５と同じであるので、説明を省略する。
【００４９】
注記作成支援装置１の制御装置４は、ステップＳ４６として、図面サイズ情報を取得する。次に、注記作成支援装置１の制御装置４は、ステップＳ４７として、注記サイズが適正であるか否かを判定する。なお、注記サイズが適正であるか否かの判定の仕方として、注記のフォントサイズの範囲を予め規定しておき、規定された範囲のフォントサイズで注記を図面に貼付できるか否かで、注記サイズが適正であるか否かを判定するようにしても良い。また、定形注記の場合、注記の面積範囲を予め規定しておき、規定された範囲の面積で注記を図面に貼付できるか否かで、注記サイズが適正であるか否かを判定するようにしても良い。また、注記の表示位置（貼付位置）範囲を予め規定しておき、規定された範囲の位置に注記を貼付できるか否かで、注記サイズが適正であるか否かを判定するようにしても良い。
【００５０】
注記作成支援装置１の制御装置４は、ステップＳ４７で注記サイズが適正ではないと判定したら（Ｎｏ）、ステップＳ４８として、図面サイズを変更し、処理をステップＳ４７に進める。
【００５１】
注記作成支援装置１の制御装置４は、ステップＳ４７で注記サイズが適正であると判定したら（Ｙｅｓ）、ステップＳ４９として、注記を図面に貼付する。
【００５２】
注記作成支援装置１の第５の処理によれば、注記サイズに応じて図面のサイズを変更することができるので、注記を見易く表示することができ、不良品の発生を防止することができる。
【００５３】
以上、本実施形態では、製品仕様書データベースに格納されている製品仕様書の中から１つの製品仕様書を選択し、１つの製品仕様書の図面種類の中から１つの図面種類を選択し、１つの図面種類に対応する注記雛形を注記雛形データベースから取得し、１つの製品仕様書から注記作成に必要な情報を抽出し、注記雛形及び注記作成に必要な情報に基づいて注記を作成し、作成された注記を図面に貼付する。これによって、注記の記載方法、表現を統一し、製品仕様の内容を確実に図面注記に反映することができる。
【産業上の利用可能性】
【００５４】
以上のように、本発明に係る注記作成支援装置は、図面の注記の作成を支援するのに有用である。
【符号の説明】
【００５５】
１  注記作成支援装置
２  入力装置
３  表示装置
４  制御装置
４ａ  入力インターフェース
４ｂ  出力インターフェース
４ｃ  ＣＰＵ
４ｄ  ＲＯＭ
４ｅ  ＲＡＭ
４ｆ  内部記憶装置
５  外部記憶装置
【図１】
2011216025.tif 000003
【図２】
2011216025.tif 000004
【図３】
2011216025.tif 000005
【図４】
2011216025.tif 000006
【図５】
2011216025.tif 000007
【図６】
2011216025.tif 000008
【図７】
2011216025.tif 000009
【図８】
2011216025.tif 000010
【図９】
2011216025.tif 000011
【図１０】
2011216025.tif 000012
【図１１】
2011216025.tif 000013
【図１２】
2011216025.tif 000014
【図１３】
2011216025.tif 000015
【図１４】
2011216025.tif 000016